(57)【要約】【課題】相対的な姿勢が変化可能な第１物体と第２物体との連結部において、衝撃が加えられた際の連結部の損傷の可能性を低減する。【解決手段】照明装置１０に、支持棒５２と球体５０と筒状爪部４２と支持体４６とアブソーバ４８とを備える。支持棒５２は、照明部２０の第１筐体２２から突出している。球体５０は、支持棒５２の第１筐体２２に対して反対側の端部に固定されている。筒状爪部４２は、電源部３０の第２筐体３２から突出して球体５０を挟み球体５０から支持棒５２の方向への球体５０の移動を制限する。支持体４６は、筒状爪部４２の一対の爪の間に配置されている。アブソーバ４８は、支持体４６に載置されて、支持棒５２から球体５０の方向への球体５０の移動を制限し、所定の値以上の力で圧縮されると一対の爪を広げて球体５０を開放するように半径方向に広がる。【選択図】図１
2019003723.tif 000002
【特許請求の範囲】
【請求項１】
第１筐体と、
第２筐体と、
前記第１筐体から突出した棒と、
前記棒の前記第１筐体に対して反対側の端部に固定された球体と、
前記第２筐体から突出して前記球体を挟み前記球体から前記棒の方向への前記球体の移動を制限する一対の爪と、
前記一対の爪の間に配置された支持体と、
前記支持体に載置されて前記棒から前記球体の方向への前記球体の移動を制限し、所定の値以上の力で圧縮されると前記一対の爪を広げて前記球体を開放するように半径方向に広がる環状のアブソーバと、
前記筐体の何れかに収納された照明と、
他方の前記筐体に収納されて前記照明に電力を供給する電源と、
を有することを特徴とする照明装置。
【請求項２】
前記一対の爪は、筒を備え、前記筒の先端部の開口につながり前記筒の軸方向に延びる太スリットと前記太スリットにつながり前記筒の軸方向に延びる細スリットとが形成されている、
ことを特徴とする請求項１に記載の照明装置。
【請求項３】
前記アブソーバは前記支持体よりも弾性が大きいことを特徴とする請求項１または請求項２に記載の照明装置。
【請求項４】
前記アブソーバはゴム製であることを特徴とする請求項１または請求項２に記載の照明装置。
【請求項５】
前記第１筐体と前記棒と前記球体とは一体成型されていて、
前記第２筐体と前記一対の爪とは一体成型されている、
ことを特徴とする請求項１または請求項２に記載の照明装置。
【請求項６】
第１物体と第２物体とを連結する連結構造において、
前記第１物体から突出した棒と、
前記支持棒の前記第１物体に対して反対側の端部に固定された球体と、
前記第２物体から突出して前記球体を挟み前記球体から前記棒の方向への前記球体の移動を制限する一対の爪と、
前記一対の爪の間に配置された支持体と、
前記支持体に載置されて前記棒から前記球体の方向への前記球体の移動を制限し、所定の値以上の力で圧縮されると前記一対の爪を広げて前記球体を開放するように半径方向に広がる環状のアブソーバと、
を有することを特徴とする連結構造。
【発明の詳細な説明】
【技術分野】
【０００１】
本発明は、照明装置および連結構造に関する。
【背景技術】
【０００２】
夜間や暗所での作業の際に、たとえば頭部のヘルメットに固定して使用するヘッドランプが知られている。しかし、ヘルメットに固定したヘッドランプを用いる場合、光を照射する位置を変更するためには、頭の向きを変化させなければならず、作業の内容によっては好ましくない場合がある。また、台座部分に対して照明方向を変化させることができる照明装置が知られている。
【先行技術文献】
【特許文献】
【０００３】
【特許文献１】特開２０１５−１２５９８６号公報
【特許文献２】特表２０１３−５０６２４６号公報
【発明の概要】
【発明が解決しようとする課題】
【０００４】
基台とその基台に対する姿勢を変更可能な照明部とを有する照明装置のように、第１物体と第２物体とを連結する連結部を有するものがある。このような連結部を有する物を落下させて衝撃が加えられると、連結部などに損傷が発生する可能性がある。
【０００５】
そこで、本発明は、相対的な姿勢が変化可能な第１物体と第２物体との連結部において、衝撃が加えられた際の連結部の損傷の可能性を低減することを目的とする。
【課題を解決するための手段】
【０００６】
上述の目的を達成するため、本発明は、照明装置において、第１筐体と、第２筐体と、前記第１筐体から突出した棒と、前記棒の前記第１筐体に対して反対側の端部に固定された球体と、前記第２筐体から突出して前記球体を挟み前記球体から前記棒の方向への前記球体の移動を制限する一対の爪と、前記一対の爪の間に配置された支持体と、前記支持体に載置されて前記棒から前記球体の方向への前記球体の移動を制限し、所定の値以上の力で圧縮されると前記一対の爪を広げて前記球体を開放するように半径方向に広がる環状のアブソーバと、前記筐体の何れかに収納された照明と、他方の前記筐体に収納されて前記照明に電力を供給する電源と、を有することを特徴とする。
【０００７】
また、本発明は、第１物体と第２物体とを連結する連結構造において、前記第１物体から突出した棒と、前記支持棒の前記第１物体に対して反対側の端部に固定された球体と、前記第２物体から突出して前記球体を挟み前記球体から前記棒の方向への前記球体の移動を制限する一対の爪と、前記一対の爪の間に配置された支持体と、前記支持体に載置されて前記棒から前記球体の方向への前記球体の移動を制限し、所定の値以上の力で圧縮されると前記一対の爪を広げて前記球体を開放するように半径方向に広がる環状のアブソーバと、を有することを特徴とする。
【発明の効果】
【０００８】
本発明によれば、相対的な姿勢が変化可能な第１物体と第２物体との連結部において、衝撃が加えられた際の連結部の損傷の可能性を低減できる。
【図面の簡単な説明】
【０００９】
【図１】本発明に係る照明装置の一実施の形態の斜視図である。
【図２】本発明に係る電源装置の一実施の形態を分解した状態の正面図である。
【図３】本発明に係る電源装置の一実施の形態の一部拡大の断面図である。
【発明を実施するための形態】
【００１０】
本発明に係る照明装置の一実施の形態を、図面を参照して説明する。なお、この実施の形態は単なる例示であり、本発明はこれに限定されない。同一または類似の構成には同一の符号を付し、重複する説明は省略する。
【００１１】
図１は、本発明に係る照明装置の一実施の形態の斜視図である。図２は、本実施の形態の照明装置を分解した状態の正面図である。
【００１２】
本実施の形態の照明装置１０は、照明部２０と電源部３０と連結部４０とを備えている。照明部２０は、たとえば第１筐体２２と反射体２４とＬＥＤ２６とカバー２８を備えている。
【００１３】
第１筐体２２は、たとえば正面に両側が弧状の略長方形に形成された開口が形成されている。第１筐体２２は、たとえば硬質の樹脂で形成されている。
【００１４】
反射体２４は、第１筐体２２の内部に収納されている。反射体２４は、光を反射する材料で形成されている。反射体２４には、たとえば５か所にパラボラ状の窪みが形成されている。反射体２４の窪みは、第１筐体２２の開口から離れる方向に形成されている。
【００１５】
ＬＥＤ２６は、反射体２４のそれぞれの窪みの底部に配置されている。ＬＥＤ２６は、反射体２４の主として窪みの底から開口部方向に向かって光を放射する。
【００１６】
カバー２８は、筐体に形成された開口を覆う。カバー２８は、ＬＥＤ２６から放出されて直接、あるいは、反射体２４に反射して進行する光を透過する材料で形成されている。
【００１７】
電源部３０は、第２筐体３２とスイッチ３４とを備えている。電源部３０の第２筐体３２の内部には、ＬＥＤ２６を駆動するためのバッテリー（図示せず）が収納されてている。電源部３０には、ＬＥＤ２６を駆動するための駆動回路（図示せず）が収納されていてもよい。ＬＥＤ２６を駆動するための駆動回路は、照明部２０の第２筐体２２と反射体２４との間に収納されていてもよい。
【００１８】
スイッチ３４は、ＬＥＤ２６の発光を制御するためのスイッチである。スイッチ３４の押下によって、ＬＥＤ２６すべてのＯＮ・ＯＦＦの状態が切り替わるようにしてもよいし、押下の回数によって、発光するＬＥＤ２６の個数が変化するようにしてもよい。
【００１９】
電源部３０と照明部２０との間は、たとえばらせん状に形成されたワイヤ３６で結合されている。このワイヤ３６は、たとえば複数の電線を樹脂でまとめたものである。ワイヤ３６の内部には、ＬＥＤ２６を駆動する電力の供給線、ＬＥＤ２６を制御するための制御線などが収納されている。
【００２０】
連結部４０は、筒状爪部４２と支持体４６とアブソーバ４８と球体５０と支持棒５２とを有している。
【００２１】
筒状爪部４２は、電源部３０の第２筐体３２から突出した円筒状に形成されている。筒状爪部４２の先端部は、第２筐体３２に接続した基部よりも少し細くなっている。筒状爪部４２の先端には、円形の開口が形成されている。筒状爪部４２の先端部には、先端の開口に連通する太スリット６２と、その太スリット６２に連通する細スリット６４とが形成されている。太スリット６２と細スリット６４は、いずれも筒状爪部４２が延びる軸に平行に形成されている。太スリット６２と細スリット６４は、筒状爪部４２が延びる軸の周りに１８０度離れた位置にそれぞれ形成されている。つまり、太スリットと細スリット６４の組は、筒状爪部４２の側面の２か所に形成されている。
【００２２】
筒状爪部４２は、たとえば硬質の樹脂で形成されている。筒状爪部４２は、たとえば電源部３０の筐体３２と一体成型されている。
【００２３】
支持体４６は、円筒状に形成されている。支持体４６は、筒状爪部４２の内部に収納されている。支持体４６の長さは、筒状爪部４２の長さよりも短い。支持体４６は、たとえばゴムで形成されている。筒状爪部４２の開口に遠い方の支持体４６の端は、電源部３０の筐体３２の内部に形成された支持部（図示せず）に支持されている。
【００２４】
アブソーバ４８は、円環状に形成されている。アブソーバ４８は、支持体４６よりも弾性が大きい材料で形成されている。アブソーバ４８は、たとえばゴム製である。アブソーバ４８は、筒状爪部４２の開口に近い方の支持体４６の端に載置されている。支持体４６とアブソーバ４８との間にワッシャ４４を配置してもよい。筒状爪部４２の開口に近い方のアブソーバ４８の端部には、球体５０の表面に沿うようなテーパが形成されている。
【００２５】
球体５０は、筒状爪部４２の開口よりも少し直径が大きな球状に形成されている。球体５０は、筒状爪部４２の開口付近とアブソーバ４８の端部付近で形成される空隙に配置されている。
【００２６】
支持棒５２は、球体５０から延びる円筒状に形成されている。球体５０と支持棒５２は、照明部２０の筐体２２と一体成型されていてもよい。
【００２７】
電源部３０から照明部２０の間には、電力供給用および制御用の電線（図示せず）が延びている。
【００２８】
第１筐体２２と支持棒５２との結合部、支持棒５２と球体５０との結合部、および、第２筐体３２とカバー４２との結合部は、断面弧状の表面を持つように形成されている。
【００２９】
筒状爪部４２は、第２筐体３２から突出して球体５０を挟んでいる。つまり、筒状爪部４２は、全体として一対の爪となっている。また、一対の爪である筒状爪部４２は、球体５０から支持棒５２の方向への球体５０の移動を制限する。支持体４６は、筒状爪部４２の一対の爪の間に配置されている。
【００３０】
アブソーバ４８は、支持棒５２から球体５０の方向への球体５０の移動を制限している。また、アブソーバ４８は、軸方向に圧縮されると半径方向に広がる。また、アブソーバ４８の外径は、筒状爪部４２の内径とほぼ同じとしている。このため、アブソーバ４８が軸方向に圧縮されると、半径方向に広がり、筒状爪部４２の一対の爪を離れる方向に移動させる。その結果、所定の力以上でアブソーバ４８が軸方向に圧縮されると、筒状爪部４２の先端部が広がり、球体５０が解放される。
【００３１】
組立の際には、球体５０を筒状爪部４２の先端の開口に押し込むことにより、筒状爪部４２の一対の爪は、球体５０によって押し広げられる。その結果、球体５０は、筒状爪部４２の一対の爪とアブソーバ４８との間に形成された空隙に収まる。
【００３２】
使用の際には、連結部４０の球体５０を筒状爪部４２に対して相対的に回動させることにより、照明部２０の向きを変化せることができる。このため、光の照射方向を変化させることができる。電源部３０には、ＬＥＤ２６などの他の部品に比べて質量が大きい蓄電池などが収容されている。そこで、この照明装置１０は、電源部３０を平板などに載置する基台として用い、連結部４０によって、頭部である照明部２０の向きを変更可能なものとすることができる。
【００３３】
照明装置１０が落下した際、照明部２０あるいは電源部３０が床などの外部と接触することにより衝撃を受ける。この衝撃により、球体５０とアブソーバ４８とが互いに近づく方向に移動する。その結果、アブソーバ４８は、軸方向に圧縮されて、筒状爪部４２の一対の爪を押し広げ、球体５０が筒状爪部４２から解放される。照明部２０と電源部３０とが離れることにより、衝撃が分散され、照明装置１０の何れかの部分に損傷が生じる可能性を低減できる。
【００３４】
このように本実施の形態では、相対的な姿勢が変化可能な第１物体と第２物体との連結部において、衝撃が加えられた際の連結部の損傷の可能性を低減できる。
【００３５】
第１筐体２２と第２筐体３２との相対的な姿勢を変更可能とするためには、本実施の形態の照明装置１０のように、支持棒５２などによって互いにある程度の距離を持たせることで姿勢の変化範囲を広くすることができる。支持棒５２を用いると、落下の際の衝撃などで他の部分に比べて強度が低くなる傾向にある支持棒５２部分、特に、支持棒５２と第１筐体２２との結合部分が破損する可能性が高い。
【００３６】
本実施の形態の照明装置１０では、落下時などの衝撃が加わると、必ず第１筐体２２と第２筐体３２を近づける方向に力が加わる。この落下時に働く力は、アブソーバ４８を軸方向に圧縮する方向であるため、落下の際の衝撃の大きさが大きければ、筒状爪部４２の一対の爪が押し広げられ、球体５０が解放されることになる。
【００３７】
筒状爪部４２の側面には、太スリット６２と細スリット６４とが形成されている。太スリット６２を形成することにより、支持棒５２に干渉せずに姿勢を変化させる範囲が広くなる。特に、太スリット６２の幅を支持棒５２の直径よりも太くすることにより、太スリット６２に入り込む位置まで支持棒５２の姿勢を変化させることができる。また、太スリット６２の底部から細スリット６４を形成することにより、筒状爪部４２全体の強度をあまり低下させずに、小さな力で筒状爪部４２の先端部の開口をより広げることができる。その結果、通常使用時の強度を維持しつつ、衝撃が加えられた際に、容易に照明部２０と電源部３０とを切り離すことができる。
【００３８】
衝撃が加えられた際に照明部２０と電源部３０とが、連結部４０において切り離されたとしても、ワイヤ３６によって照明部２０と電源部３０とはつながっている。このため、どちらか一方が使用者から遠く離れて行ってしまう可能性が低減される。
【符号の説明】
【００３９】
１０…照明装置、２０…照明部、２２…第１筐体、２４…反射体、２６…ＬＥＤ、２８…カバー、３０…電源部、３２…第２筐体、３４…スイッチ、３６…ワイヤ、４０…連結部、４２…筒状爪部、４４…ワッシャ、４６…支持体、４８…アブソーバ、５０…球体、５２…支持棒、６２…太スリット、６４…細スリット
【図１】
2019003723.tif 000003
【図２】
2019003723.tif 000004
【図３】
2019003723.tif 000005